(57)【要約】  【課題】アナログテレビ放送、デジタルテレビ放送及びラジオ放送に関連して携帯端末による双方向通信を可能にする。  【解決手段】放送タイムテーブル２１及び放送情報２７を蓄積した蓄積手段２２を備えたセンター２３と、放送タイムテーブル２１及び放送情報２７を表示するための放送連動型アプリケーションを搭載した放送情報表示携帯端末（携帯電話２９，２９…）とがネットワーク接続され、該放送情報表示携帯端末に前記放送タイムテーブル２１及び放送情報２７がダウンロードされて時刻情報と同期させて表示されると共に、該放送情報表示携帯端末の情報が前記センター２３にアップロードされるように構成されている放送情報ネットワークシステム１８を提供する。【選択図】図４
2005217941.tif 000002
【特許請求の範囲】
【請求項１】
放送受信装置を操作するリモートコントロールに対応するリモコン表示情報を蓄積し、該リモコン表示情報を表示部に表示させ、該リモコン表示情報の所定表示を選択し、或いは選択して所定の操作を行うことにより、該放送受信装置に対するリモートコントロールを可能にしたことを特徴とする放送情報表示携帯端末及び、放送情報表示可能な通信携帯電話、または通信可能な端末。→以下共通。
【請求項２】
上記表示部に上記携帯端末のキー部が表示され、該キー部に上記リモコン表示情報が重ねて表示されることを特徴とする請求項１記載の放送情報表示携帯端末。
【請求項３】
上記リモコン表示情報の表示は放送チャンネル表示を含むことを特徴とする請求項１又は２記載の放送情報表示携帯端末。
【請求項４】
上記リモコン表示情報の表示は四色ボタン及び機能又は表示切替ボタンであるＤモードボタン表示を含むことを特徴とする請求項１，２又は３記載の放送情報表示携帯端末。
【請求項５】
放送タイムテーブル及び放送情報を蓄積し、表示部に該放送タイムテーブル及び放送情報を時刻情報と同期させて表示自在に構成されていることを特徴とする放送情報表示携帯端末。
【請求項６】
上記放送タイムテーブル及び放送情報はネットワーク接続によってダウンロードされることを特徴とする請求項５記載の放送情報表示携帯端末。
【請求項７】
上記放送情報はＵＲＬ情報を含むことを特徴とする請求項５又は６記載の放送情報ネットワークシステム。
【請求項８】
放送タイムテーブル及び放送情報を蓄積した蓄積手段を備えたセンターと、放送タイムテーブル及び放送情報を放送に連動させて表示するための放送連動型アプリケーションを搭載した放送情報表示携帯端末とがネットワーク接続され、該放送情報表示携帯端末に前記放送タイムテーブル及び放送情報がダウンロードされて時刻情報と同期させて表示されると共に、該放送情報表示携帯端末の情報が前記センターにアップロードされるように構成されていることを特徴とする放送情報ネットワークシステム。
【請求項９】
上記放送情報はＵＲＬ情報を含むことを特徴とする請求項８記載の放送情報ネットワークシステム。
【請求項１０】
上記放送タイムテーブル及び放送情報はデジタルテレビ放送、アナログテレビ放送又はラジオ放送に関連する情報であることを特徴とする請求項８又は９記載の放送情報ネットワークシステム。
【発明の詳細な説明】
【技術分野】
【０００１】
本発明は、放送情報表示携帯端末及び携帯端末を用いた放送情報ネットワークシステムに関するものであり、特に、テレビ放送又はラジオ放送に於て、放送受信装置に対するリモコン機能を備えると共に、放送タイムテーブル及び放送情報を表示可能な携帯端末、及び、携帯端末に放送タイムテーブル及び放送情報をダウンロードして表示でき、一方、該携帯端末の情報をセンターにアップロードできるようにした放送情報ネットワークシステムに関するものである。
【背景技術】
【０００２】
従来の此種放送情報ネットワークシステムとして、デジタル放送が知られており、該デジタルテレビ放送に於ては、テレビ受信機を電話回線等に接続し、該テレビ受信機のリモコンをテレビ放送視聴者が操作することにより、該テレビ放送視聴者とテレビ放送局とがテレビ放送に関連して双方向の情報交換が可能である。
【０００３】
又、特許文献１にはデジタルテレビ放送の受信装置と、携帯端末とを有線方式、電波、或いは、赤外線を介して接続し双方向通信ができるシステムが記載されている。
【特許文献１】特開２００２−１０１３５９号公報
【発明の開示】
【発明が解決しようとする課題】
【０００４】
前述したように、デジタルテレビ放送に於ては、テレビ受信機を電話回線等に接続し、該テレビ受信機のリモコンを操作することにより、テレビ放送視聴者とテレビ放送局とがテレビ放送に関連して双方向の情報交換が可能である。
【０００５】
又、特許文献１にはデジタルテレビ放送の受信装置と、携帯端末とを有線方式、電波、或いは、赤外線によって接続して行う双方向通信が記載されている。
【０００６】
然しながら、従来のアナログテレビ放送又はラジオ放送に於ては、双方向の情報交換は不可能であり、テレビ放送視聴者又はラジオ聴取者は放送局から送られる情報を受信するのみで、テレビ放送視聴者又はラジオ聴取者から放送局に双方向通信的に情報を送信することは不可能であった。
【０００７】
又、デジタル放送に於ても、携帯端末を用いて双方向通信が容易に行えることが望まれている。
【０００８】
そこで、アナログテレビ放送、デジタルテレビ放送及びラジオ放送に関連して携帯端末による放送タイムテーブル及び放送情報表示を可能にすると共に、該携帯端末を用いて放送情報の双方向通信を可能とするために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、  放送受信装置を操作するリモートコントロールに対応するリモコン表示情報を蓄積し、該リモコン表示情報を表示部に表示させ、該リモコン表示情報の所定表示を選択し、或いは選択して所定の操作を行うことにより、該放送受信装置に対するリモートコントロールを可能にした放送情報表示携帯端末を提供するものである。
【００１０】
この請求項１記載の発明によれば、リモコン表示情報を自在に表示して、携帯端末を操作性の良いリモートコントロールとして使用することができる。
【００１１】
又、請求項２記載の発明は、上記表示部に上記携帯端末のキー部が表示され、該キー部に上記リモコン表示情報が重ねて表示される請求項１記載の放送情報表示携帯端末を提供するものである。
【００１２】
この請求項２記載の発明によれば、携帯端末のキー部が表示され、該キー部に上記リモコン表示情報が重ねて表示されるので、携帯端末のキー部の操作が容易となり、リモートコントロールとしての利便性が向上する。
【００１３】
更に、請求項３記載の発明は、上記リモコン表示情報の表示は放送チャンネル表示を含む請求項１又は２記載の放送情報表示携帯端末を提供するものである。
【００１４】
この請求項３記載の発明によれば、リモコン表示で放送チャンネルを表示するので、目的のチャンネルを迅速に選択することができる。
【００１５】
更に又、請求項４記載の発明は、上記リモコン表示情報の表示は四色ボタン及び機能又は表示切替ボタンであるＤモードボタン表示を含む請求項１，２又は３記載の放送情報表示携帯端末を提供するものである。
【００１６】
この請求項４記載の発明によれば、四色ボタン及び機能又は表示切替ボタンであるＤモードボタンが表示されることにより、デジタルテレビ放送用のリモートコントロールの一部の機能として利用可能になる。
【００１７】
そして、請求項５記載の発明は、放送タイムテーブル及び放送情報を蓄積し、表示部に該放送タイムテーブル及び放送情報を時刻情報と同期させて表示自在に構成されている放送情報表示携帯端末を提供するものである。
【００１８】
この請求項５記載の発明によれば、時刻に対応した現在放送中の放送タイムテーブル及び放送情報が表示されることにより、利便性が向上する。
【００１９】
又、請求項６記載の発明は、上記放送タイムテーブル及び放送情報はネットワーク接続によってダウンロードされる請求項５記載の放送情報表示携帯端末を提供するものである。
【００２０】
この請求項６記載の発明によれば、放送タイムテーブル及び放送情報の取得及び更新が容易になる。
【００２１】
更に、請求項７記載の発明は、上記放送情報はＵＲＬ情報を含む請求項５又は６記載の放送情報ネットワークシステムを提供するものである。
【００２２】
この請求項７記載の発明によれば、ＵＲＬ情報によって、種々のサイトにアクセス可能となり、放送情報に関連する更なる情報を取得することができる。
【００２３】
更に又、請求項８記載の発明は、放送タイムテーブル及び放送情報を蓄積した蓄積手段を備えたセンターと、放送タイムテーブル及び放送情報を表示するための放送連動型アプリケーションを搭載した放送情報表示携帯端末とがネットワーク接続され、該放送情報表示携帯端末に前記放送タイムテーブル及び放送情報がダウンロードされて時刻情報と同期させて表示されると共に、該放送情報表示携帯端末の情報が前記センターにアップロードされるように構成されている放送情報ネットワークシステムを提供するものである。
【００２４】
この請求項８記載の発明によれば、放送情報表示携帯端末とセンターとが双方向通信可能となり、放送情報表示携帯端末はセンターから放送タイムテーブル及び放送情報を受信できると共に、該放送情報表示携帯端末からユーザー情報を該センターに送信することができる。
【００２５】
そして、請求項９記載の発明は、上記放送情報はＵＲＬ情報を含む請求項８記載の放送情報ネットワークシステムを提供するものである。
【００２６】
この請求項９記載の発明によれば、ＵＲＬ情報によって、種々のサイトにアクセス可能となり、放送情報に関連する更なる情報を取得することができる。
【００２７】
又、請求項１０記載の発明は、上記放送タイムテーブル及び放送情報はデジタルテレビ放送、アナログテレビ放送又はラジオ放送に関連する情報である請求項８又は９記載の放送情報ネットワークシステムを提供するものである。
【００２８】
この請求項１０記載の発明によれば、デジタルテレビ放送、アナログテレビ放送又はラジオ放送に関連して、携帯端末による双方向通信が可能になると共に、該携帯端末によって放送に関する種々の情報を取得することが可能となる。
【発明の効果】
【００２９】
本発明の請求項１記載の発明は、放送受信装置を操作するリモートコントロールに対応するリモコン表示情報を蓄積し、該リモコン表示情報を表示部に表示させ、該リモコン表示情報の所定表示を選択し、或いは選択して所定の操作を行うことにより、該放送受信装置に対するリモートコントロールを可能にした放送情報表示携帯端末を提供するので、リモコン表示情報を自在に表示して、携帯端末を操作性の良いリモートコントロールとして使用することができる。
【００３０】
又、請求項２記載の発明は、上記表示部に上記携帯端末のキー部が表示され、該キー部に上記リモコン表示情報が重ねて表示されるので、請求項１記載の発明の効果に加え、キー部表示に上記リモコン表示情報が重ねて表示されるので、携帯端末のキー部の操作が容易となり、リモートコントロールとしての利便性が向上する。
【００３１】
更に、請求項３記載の発明は、上記リモコン表示情報の表示は放送チャンネル表示を含むので、請求項１又は２記載の発明の効果に加え、リモコン表示で放送チャンネルを表示することにより目的のチャンネルを迅速に選択することができる。
【００３２】
更に又、請求項４記載の発明は、上記リモコン表示情報の表示は四色ボタン及び機能又は表示切替ボタンであるＤモードボタン表示を含むので、請求項１，２又は３記載の発明の効果に加え、四色ボタン及びＤモードボタンが表示されることにより、デジタルテレビ放送用のリモートコントロールとしても一部利用可能になる。
【００３３】
そして、請求項５記載の発明は、放送タイムテーブル及び放送情報を蓄積し、表示部に該放送タイムテーブル及び放送情報を時刻情報と同期させて表示自在に構成されている放送情報表示携帯端末を提供するので、時刻に対応した現在放送中の放送タイムテーブル及び放送情報が表示されることにより、利便性が向上する。
【００３４】
又、請求項６記載の発明は、例えば、上記放送タイムテーブル及び放送情報は製品出荷時に内蔵又は、SDカード等の外部メモリーカード、さらには、ネットワーク接続によってダウンロードされるので、請求項５記載の発明の効果に加え、放送タイムテーブル及び放送情報の取得が容易となり、且つ、前記外部メモリーカード、さらには、ネットワーク接続によってダウンロードすることにより、請求項５記載の発明の効果に加え、放送タイムテーブル及び放送情報の更新が容易となる。
【００３５】
更に、請求項７記載の発明は、上記放送情報はＵＲＬ情報を含むので、請求項５又は６記載の発明の効果に加え、ＵＲＬ情報によって、種々のサイトにアクセス可能となり、放送情報に関連する更なる情報を取得することができる。
【００３６】
更に又、請求項８記載の発明は、放送タイムテーブル及び放送情報を蓄積した蓄積手段を備えたセンターと、放送タイムテーブル及び放送情報を表示するための放送連動型アプリケーションを搭載した放送情報表示携帯端末とがネットワーク接続され、該放送情報表示携帯端末に前記放送タイムテーブル及び放送情報がダウンロードされて時刻情報と同期させて表示されると共に、該放送情報表示携帯端末の情報が前記センターにアップロードされるように構成されている放送情報ネットワークシステムを提供するので、放送情報表示携帯端末とセンターとが双方向通信可能となり、放送情報表示携帯端末はセンターから放送タイムテーブル及び放送情報を受信できると共に、該放送情報表示携帯端末からユーザー情報を該センターに送信することができる。
【００３７】
そして、請求項９記載の発明は、上記放送情報はＵＲＬ情報を含むので、請求項８記載の発明の効果に加え、ＵＲＬ情報によって、種々のサイトにアクセス可能となり、放送情報に関連する更なる情報を取得することができる。
【００３８】
又、請求項１０記載の発明は、上記放送情報はデジタルテレビ放送、アナログテレビ放送又はラジオ放送に関連する放送情報であるので、請求項８又は９記載の発明の効果に加え、デジタルテレビ放送、アナログテレビ放送又はラジオ放送に関連して、携帯端末による双方向通信が可能になると共に、該携帯端末によって放送に関する種々の情報を取得することが可能となる等、著大なる効果を奏する発明である。
【発明を実施するための最良の形態】
【００３９】
アナログテレビ放送、デジタルテレビ放送及びラジオ放送に関連して携帯端末による放送タイムテーブル及び放送情報表示を可能にすると共に、該携帯端末を用いて放送情報の双方向通信を可能とするという目的を、放送タイムテーブル及び放送情報を蓄積した蓄積手段を備えたセンターと、放送タイムテーブル及び放送情報を放送に連動させて表示するための放送連動型アプリケーションを搭載した放送情報表示携帯端末とがネットワーク接続され、該放送情報表示携帯端末に前記放送タイムテーブル及び放送情報がダウンロードされて時刻情報と同期させて表示されると共に、該放送情報表示携帯端末の情報が前記センターにアップロードされるように構成されている放送情報ネットワークシステムにより達成した。
【実施例１】
【００４０】
以下、本発明の一実施の形態を図１乃至図６に従って詳述する。図１に於て、１は携帯端末である携帯電話であり、該携帯電話１は放送受信装置を操作するリモートコントロール機能を発揮させるためのアプリケーションを搭載し、且つ、リモコン表示情報を適宜方法により蓄積しており、該携帯電話１の表示部２に該リモコン表示情報を表示して、放送受信装置を操作するリモートコントロールとして用いることができる放送情報携帯端末である。
【００４１】
例えば、同図（ａ）に示すように、該表示部２に該携帯電話１のキー部３と略同様の映像であるキー部４を表示すると共に、該キー部４に例えば放送のチャンネル番号、例えば、「１」〜「１２」を表示し、更に、機能又は表示切替えのためのＤモードボタン５を表示する。又、上下左右自在キー６の上下部に音量調節キー７，８を表示し、左部に前記アプリケーションを操作するための連動ボタン９、右部に検索を行うための検索ボタン１０を表示する。尚、前記キー部４には種々の機能を有するその他のボタンも表示することができる。
【００４２】
そして、前記Ｄモードボタン５の表示に相当するキー１１を押すと、例えば、同図（ｂ）の表示に切替わる。該表示はデジタルテレビ放送用のリモートコントロールの一部を表示しており、例えば、キー１２（図中キー内表示２）に青色、キー１３（図中キー内表示４）に緑色、キー１４（図中キー内表示６）に黄色、キー１５（図中キー内表示８）に赤色が表示され、デジタルテレビ放送用の四色ボタンが表示されると共に、機能又は表示切替えのためのＤモードボタン５が表示される。これらの四色ボタン及びＤモードボタンも任意に割り当てることができる。
【００４３】
又、図２（ａ）に示す如く、前記表示部２に該携帯電話１のキー部（図１に於て３）と略同様の映像であるキー部４を表示すると共に、該キー部４に例えば放送のチャンネル名を表示し、更に、機能又は表示切替えのためのＤモードボタン５を表示する。又、上下左右自在キー６の上下部に音量調節キー７，８を表示し、左部に前記アプリケーションを操作するための連動ボタン９、右部に検索を行うための検索ボタン１０を表示している。
【００４４】
更に、図２（ｂ）に示す如く、前記表示部２に携帯電話のキー部（図１に於て３）と略同様の映像であるキー部４を表示すると共に、該キー部４の任意のキーに放送のチャンネル名を表示し、例えば、最も操作しやすいキーに良く利用する放送のチャンネル名を割り当てて表示することも可能である。そして、この場合に於ても、前図２（ａ）の表示と同様に、機能又は表示切替えのためのＤモードボタン５を表示し、上下左右自在キー６の上下部に音量調節キー７，８を表示し、左部に前記アプリケーションを操作するための連動ボタン９、右部に検索を行うための検索ボタン１０を表示する。
【００４５】
尚、前述の図１（ａ），（ｂ）、図２（ａ），（ｂ）に示されるチャンネルは地域によって表示が異なるため、地域に合わせて設定する。
【００４６】
図３は前記携帯電話（図１に於て１）に放送タイムテーブル及び放送情報を蓄積し、該携帯電話の表示部２に該放送タイムテーブル及び放送情報を時刻情報と同期させて表示したものである。該放送タイムテーブル及び放送情報はネットワーク接続によって例えば１週間分ダウンロードされ、以後同様にして、更新させるものである。そして、該携帯電話１が備える時刻情報に同期させて放送タイムテーブル及び放送情報、例えば、放送番組を表示する。そして、該放送情報には例えば付加情報として図中棒グラフで示すように番組進行表示１６，１６…により番組の進行状況が表示され、又、該放送情報の夫々の番組の右端部に次番組表示マーク１７，１７…が表示され、該次番組表示マークの色又はデザイン等によって次の番組がニュース、ドラマ、スポーツ、映画等識別できるように構成されている。この表示が行われている時に、任意のチャンネルを選択して放送受信装置を切替えるリモートコントロールとしての操作が可能である。
【００４７】
又、図中に示すように、所定のキーによってチャンネル「１０」を選択すると、該チャンネル「１０」に関する簡単な放送情報、例えば、出演者等を表示することができる。更に、この放送情報にＵＲＬ情報（Uniform Resource Locator）を含めて表示することも可能であり、その場合、携帯電話のネットワーク機能を利用して、該ＵＲＬ情報を介して、関連のサイトにアクセスし、関連情報を取得することができる。
【００４８】
図４は本発明の放送情報ネットワークシステム１８を示し、該放送情報ネットワークシステム１８はアナログテレビ放送、デジタルテレビ放送又はラジオ放送を行う放送局１９の放送タイムテーブル２０と同期又は略同期する放送タイムテーブル２１が蓄積された蓄積手段２２を備えたセンター２３が設置され、該センター２３には該蓄積手段２２に加えて、種々の情報データを処理するためのデータ処理手段２４及びインターネット２５等のネットワークに接続するための通信手段２６を備え、前記蓄積手段２２には前記放送タイムテーブル２１に加え、放送に関連する情報である放送情報２７が蓄積される。
【００４９】
尚、該放送情報２７は前記放送局１９から提供され、特に、デジタルテレビ放送に於てはデータ放送データが提供されるが、アナログテレビ放送、及び、ラジオ放送に於ては、前記放送局１９から放送情報が提供されない場合もある。
【００５０】
そのため、前記センター２３では該センター２３が独自に作成或いは収集した放送情報も前記蓄積手段２２に蓄積している。
【００５１】
一方、テレビ２８，２８…を視聴する視聴者の携帯端末等の携帯電話２９，２９…及びラジオ３０，３０…を聴取する聴取者の携帯電話２９，２９…には放送に関連する情報を取得すると共に、該放送に関連する情報を発信できるように構成されたアプリケーションであり、且つ、リモートコントロールとしての機能が組み込まれている放送連動型アプリケーション３１，３１…が搭載される。そして、該放送連動型アプリケーション３１を起動するため、前記連動ボタン（図１に於て９）と同様の連動ボタンが所定のキーに設定される。
【００５２】
該放送連動型アプリケーション３１は前記携帯電話（図１に於て１）のアプリケーションと略同様の機能を有すると共に、ネットワーク機能を備え、基地局３２から前記インターネット２５を介して前記センター２３に接続可能となっている。
【００５３】
尚、前記放送連動型アプリケーション３１は、該携帯電話２９の出荷時に予め搭載される場合、メモリーカード（図示せず）を介して提供される場合、或いは、前記センター２３からダウンロードにより搭載される場合等、種々の方法で搭載される。
【００５４】
又、該携帯電話２９は前記テレビ２８，２８…又はラジオ３０，３０…の放送受信装置を操作するためのリモートコントロール機能の通信手段である赤外線発信手段（図示せず）を備えている。尚、該赤外線発信手段に代えて、或いは、該赤外線発信手段に加えて無線ＬＡＮ、又は、ブルートゥース等を備える場合も考えられる。
【００５５】
而して、前記放送情報ネットワークシステム１８の作用を図４に従って説明すると、放送局１９から前記放送タイムテーブル２０に基づき放送が行われ、放送塔３３から発信されると、該放送が放送受信装置であるテレビ２８，２８…又はラジオ３０，３０…に受信される。
【００５６】
一方、前記放送連動型アプリケーション３１を搭載した携帯電話２９の前記連動ボタンが押されると該携帯電話２９が前記基地局３２及び前記インターネット２５を介して前記センター２３に接続され、該センター２３の放送タイムテーブル２１と連動されて前記蓄積手段２２内の放送タイムテーブル２１及び放送情報２７が前記携帯電話２９に提供される。更に、該携帯電話２９から前記センター２３に向けて情報が発信されると、該情報は前記基地局３２及びインターネット２５を介して前記センター２３に送信される。尚、この場合に於て、前記携帯電話２９も前記放送タイムテーブル２１と連動するように制限され、所謂プッシュ型の情報提供を受け、選択した番組に関する送受信のみが許可される制限を受けるように構成されても良い。
【００５７】
例えば、図５に示す如く、視聴者がテレビの放送番組を視聴している時、携帯電話２９の前記連動ボタンを押すと、該携帯電話２９は前記センター２３に接続され、該携帯電話２９は該センター２３の放送情報２７の番組情報携帯サイトに直接ジャンプして、該携帯電話２９の表示部に番組に関する情報を表示する。そこで、現在視聴している番組のチャンネルを選択し、決定すると、現在視聴している番組の番組情報携帯サイトにジャンプし、即ち、番組が例えば「王様のブランチ」である場合は、「王様のブランチ」に関する種々の情報が下方中央の図の如く表示される。そして、その中の、例えば、「レギュラー出演者」を選択すると下方右図のように「レギュラー出演者」の詳細な情報が表示される。このようにして、番組に関する種々の情報を得ることができる。
【００５８】
又、図６に示す如く、視聴者がコマーシャル（ＣＭ）を視聴している時、携帯電話２９の前記連動ボタンを押すと、前述と同様に、該携帯電話２９は前記センター２３に接続され、該携帯電話２９は該センター２３の放送情報２７の番組情報携帯サイトに直接ジャンプして、該携帯電話２９の表示部に番組に関する情報を表示する。そして、現在視聴している番組のチャンネルを選択すると、該番組に関連する現在視聴しているＣＭサイトに直接ジャンプし、即ち、ＣＭが、例えば、「サントリー」である場合は、「サントリー」に関する情報が下方中央の図の如く表示される。そして、例えば、「燃焼系アミノ式情報」を選択すると下方右図のように「燃焼系アミノ式情報」の詳細な情報が表示される。このようにして、ＣＭに関する種々の情報を得ることができる。
【００５９】
尚、一週間分程度の放送タイムテーブル及び放送情報をダウンロードにより取得し、前記連動ボタンを押した時、前記センター２３に接続せず、該ダウンロードした情報を時刻情報と同期させて表示し、更に、必要に応じて前記センター２３に接続するように構成することも可能である。
【００６０】
前述した図５及び図６によって説明した使用例は、使用例の一部であり、前記放送情報ネットワークシステム１８は放送番組に連動して種々の利用が可能である。
【００６１】
例えば、クイズ、投票、オークション、通信販売、討論、意見発表等、種々の双方向通信が可能である。
【００６２】
又、本発明は、アナログテレビ放送又はデジタルテレビ放送のいずれに於ても双方向通信を可能としたものであるが、アナログテレビ放送である場合は、デジタル放送に切り替える前にデジタル放送を擬似体験できる利点がある。又、デジタル放送に於ても携帯端末を使って双方向通信が可能であり、携帯端末の利便性が高まると共に、視聴者の利便性も高まり、且つ、デジタルテレビ放送が提供するデータ放送に更に付加して多くの情報を提供することができる。
【００６３】
尚、本発明は、本発明の精神を逸脱しない限り種々の改変を為すことができ、そして、本発明が該改変されたものに及ぶことは当然である。
【図面の簡単な説明】
【００６４】
【図１】（ａ）本発明の一実施の形態を示し、携帯電話をリモートコントロールとして用いる場合の説明図。（ｂ）本発明の一実施の形態を示し、携帯電話をデジタルテレビ放送のリモートコントロールとして用いる場合の説明図。
【図２】（ａ）本発明の一実施の形態を示し、携帯電話の表示部にチャンネル名を表示させる場合の説明図。（ｂ）本発明の一実施の形態を示し、携帯電話の表示部に任意にチャンネル名を表示させる場合の説明図。
【図３】本発明の一実施の形態を示し、携帯電話の表示部にチャンネル名、番組名、簡単な放送情報等を表示させる場合の説明図。
【図４】本発明の一実施の形態を示し、放送情報ネットワークシステムの説明図。
【図５】本発明の一実施の形態を示し、番組視聴中に放送情報ネットワークシステムの連動ボタンを操作した場合の説明図。
【図６】本発明の一実施の形態を示し、ＣＭ視聴中に放送情報ネットワークシステムの連動ボタンを操作した場合の説明図。
【符号の説明】
【００６５】
４        キー部
５        Ｄモードボタン
２１        放送タイムテーブル
２３        センター
２７        放送情報
３１        放送連動型アプリケーション
【図１】
2005217941.tif 000003
【図２】
2005217941.tif 000004
【図３】
2005217941.tif 000005
【図４】
2005217941.tif 000006
【図５】
2005217941.tif 000007
【図６】
2005217941.tif 000008